(57)【要約】【課題】ワイヤーなどで吊り下げられて上下動する水平回転しない装置に、電源などを供給するケーブルの収納繰り出し装置を、部品点数少なく、構造をシンプルにすることで、機器の実効性を高めることを可能とする。【解決手段】ワイヤー３、を通すに十分余裕を持ったリングを備えた案内金具４３、の他端にケーブル１１、を固定するケーブル固定金具４４、を設け、螺旋状に周回するケーブル１１、と固定する。装置の上昇に伴い、ケーブルはほぼ同一円周に保たれケーブル収納籠に収納される、装置の下降に伴い、ケーブル収納籠より順次繰り出される。ケーブルにねじれ癖とか細いケーブルでほぼ螺旋状にならない場合は、鋼製またはステンレス製の鋼線４２、をケーブルに添えて適宜な間隔で固定して供用する。ケーブル重量大でケーブルが直線状になる場合は、上部固定端より鎖を吊り下げて適宜な高低間隔で固定して供用する。【選択図】図３
2005137184.tif 000002
【特許請求の範囲】
【請求項１】
上部固定端よりワイヤーで吊り下げられ自在に上下動する、水平回転しない装置に電源  制御などを供給するケーブル収納繰り出し装置において、上下動する装置を吊り下げているワイヤーに適宜な数の上下自在可動なケーブル案内金具リングを通し、案内金具の他端は、上部よりワイヤーを中心として螺旋状に吊り下げられたケーブルと固定し、吊り下げられた装置の上昇に伴い装置に設置された収納籠にケーブルが収納され、装置の下降に伴い収納籠より繰り出されることを特徴とするケーブル収納繰り出し装置。
【請求項２】
ケーブルが軟弱、細い、曲がり癖などにより、螺旋状に周回しない場合は、鋼またはステンレス製の鋼線をケーブルに添えてケーブルと適宜固定した請求項１記載のケーブル収納繰り出し装置。
【請求項３】
ケーブルが太く、重量大、上下高大の場合などで、ケーブルが螺旋状に周回しないで直線状に吊り下がる場合は、上部固定端より鎖を吊り下げケーブル案内金具またはケーブルを適宜な高低間隔で固定し、ケーブル繰り出し時にケーブルを螺旋形状に形成する請求項１記載のケーブル収納繰り出し装置。
【発明の詳細な説明】
【技術分野】
【０００１】  本発明は上端を固定しその下にワイヤーで吊り下げられて自在に上下動し水平回転しない装置に、電源  制御などを供給するケーブル収納繰り出し装置に関するものである。
【背景技術】
【０００２】  上下動する装置に電源  制御等送るケーブルは装置の上下位置変化に対応して長さを調節しなければならず、その方法として上部開口のボックス内に自然落下による落とし込みや、動滑車を用いてケーブルを移動させ収納する方法があるがケーブルのもつれ損傷などが起こる欠点があった。【０００３】  産業用機器においてこの欠点はスムーズな稼動、機器の安全性に関して大きな障害である。具体的には、ケーブルのトラブルによりスムーズな繰り出しが出来ない状態での装置の移動により、ねじれやケーブルの損傷、切断による電源供給停止が起こる問題があった。【０００４】  この改善策として図１は照明用ポールにおける器具取り付け台が上下自在に動く装置であり、この方法によるケーブル収納繰り出し装置を示すための説明図であって、全体機構の模式図である。１１はケーブル、１２、１４、１６、は固定滑車、１３、は動滑車、４、は照明器具台、５、はバランス重りである。ケーブルはポール下部からポール内に入り内壁面を立ち上がり  固定滑車１６、を介して塔内に吊り下がり、バランス重り上部の動滑車１３、を介して立ち上がり、滑車１４、を介してポール外部に吊り下がり、照明器具取り付け台に接続されている。しかしながらこの方法では、８モーター、９スプロケット、１０チェーンを介してバランス重り５、の上下動により、３ワイヤーを介して器具取り付け台が上下動する。この方式はワイヤーとケーブルは同じ道程を移動することになるが、ワイヤーの伸びしろとケーブルの伸びしろは材質違いによりケーブルの方が大きく、ケーブルに余分のたるみが生じてくる。ケーブルが複数個の滑車を通過する際、滑車との摩擦抵抗が大きくケーブル外皮に損傷が生じやすい、過度な屈曲な場合芯線の断線が生じてくる。
【特許文献１】特許出願広告平４−３７５２１
【特許文献２】特開２００１−０８４８２９号公報
【発明の開示】
【発明が解決しょうとする課題】
【０００５】  解決しようとする課題は、自在に上下動し水平回転しない装置に電源  制御などを供給するケーブルにおいて障害となるケーブルのねじれ、外皮の損傷、芯線の切断などが発生する点である。
【課題を解決するための手段】
【０００６】  本発明は、ケーブルに摩擦、屈曲などによるストレスを少なくして、ケーブルに損傷を発生させないことを最も主要な特徴とする。
【発明の効果】
【０００７】  本発明のケーブル収納繰り出し装置は、上部固定端より吊り下げられた螺旋状に周回しているケーブルを、ワイヤーで吊り下げられた水平回転しない装置が上下動することにより、コイルばねが伸縮するが如く、ケーブルを分割することなく上下高の移動が可能という利点がある。
【発明を実施するための最良の形態】
【０００８】  ケーブルに与えるストレス少なくして損傷を防ぎ、長期間使用するという目的を、最少の部品点数と簡易な方法で実現した。
【実施例１】
【０００９】  図２は本発明装置の１実施例の平面、断面模式図であって、１１、４、８、３、は図１と同様である。また、２４はケーブル収納籠である。【００１０】  ケーブル収納籠２４、は照明器具台４が上昇時にケーブルを収納する籠である。本発明の主体はケーブルの収納繰り出し装置であるので、ポールの上部柱と下部柱の接続方法、バランス重りが基本重りと調整重りで成り立っていること、照明器具台が最下限にある時の固定台とスイッチ、モーターをポール上部に設置、などの説明は省略する。【００１１】  図３は本発明装置、ケーブル収納繰り出し装置の平面図である。【００１２】  ワイヤー３、が貫通する十分余裕を持ったリングを備えた案内金具４３、の他端にケーブル１１、を固定するケーブル固定金具４４、を案内金具１個あたり２個設ける。【００１３】  案内金具４３、の固定金具４４、を螺旋状に周回しているケーブル１１、にケーブル繰り出し時においてケーブル１１、がワイヤー３、と接触しない程度の適宜な上下間隔で取り付ける。【００１４】  固定金具４４、を取り付けることにより、ワイヤー３、とケーブル１１、間の距離が保持されケーブル収納時ほぼ同一円に保たれ、大きくケーブルが変形円形状逸脱することがない。【００１５】  ケーブル繰り出しにおいてもケーブル固定金具４４、の角度は収納時と変るがワイヤー３、とケーブル案内金具のリングには十分な隙間を設けているので、ワイヤー３、に引っかかることはなく、ケーブル１１、の上下移動にあわせて自在に上下移動する。【００１６】  ケーブル１１、にねじれ癖とか、細いケーブルでほぼ規則正しく螺旋状にならない場合は、鋼製またはステンレス製の鋼線４２、をケーブル１１、に添えてケーブル１１、と適宜固定して使用する。【００１７】  ケーブル１１、が太く、上下移動距離が長く、重量が大となり、ケーブル１１、が直線的に吊り下がる場合は上部固定台から鎖４５、を吊下ろしケーブル１１、やケーブル固定金具４４、と適宜な高低間隔で固定して使用する。【００１８】  このように最少の部品点数とシンプルな構造を採用したので、実効的に劣化することなく、また、調整する必要もない。状況を確認する場合は、ケーブル繰り出し時に本装置は外部の目視可能位置にあり、容易に目視確認すことができる。
【産業上の利用可能性】
【００１９】  照明ポールにおいては、空港  港湾施設  駅前広場  大型駐車場など、土木建設機械、輸送機械設備、船舶重機設備、工場内外設備、などの用途にも適用できる。
【図面の簡単な説明】
【００２０】
【図１】従来例を示した平面模式図である。
【図２】本発明ポールの平面及び断面模式図である。
【図３】ケーブル収納繰り出し装置（部分図）の平面模式図である。
【符号の説明】
【００２１】    １：滑車
２：ポール
３：ワイヤー
４：器具台
５：バランス重り
６：動滑車
７：基台
８：モーター
９：スプロケット
１０：チェーン
１１：照明用電源ケーブル
１２：ケーブル固定滑車
１３：ケーブル用動滑車
１４：ケーブル固定滑車
１５：照明器具
１６：ケーブル固定滑車
１９：上部柱
２１：基準重り
２２：調整重り
２４：ケーブル収納籠
２６：下部柱
２７：フランジ
２８：ボルトナット
２９：カバー
３０：開口部
３１：ガイドレール
３２：スイッチ収納台
３３：台収納スペース
３４：ベースプレート
３５：スイッチ線
３６：カバー
３７：安定器
３９：スイッチ
４０：スライドシュウ
４１：固定棒
４２：鋼線
４３：ケーブル案内金具
４４：ケーブル止め金具
４５：鎖
【図１】
2005137184.tif 000003
【図２】
2005137184.tif 000004
【図３】
2005137184.tif 000005